(57)【要約】【課題】軟弱な地盤又は固い地盤であっても、探針棒を土壌中に損傷することなく確実に差し込むことができ、かつ挿入穴の土壌崩壊を防止することができ、土壌熱抵抗について高精度に測定する。【解決手段】探針棒５１を土壌ｓに差し込み、探針棒５１を一定時間熱源で加熱したときの温度変化を計測し、この温度勾配から熱抵抗を求めて土壌熱抵抗を測定する際に、土壌ｓにガイド棒１，１１を打ち込み又はねじ込み、縦方向に挿入穴５２を形成し、挿入穴５２内に流動体４を注入し、流動体４中に探針棒５１を差し込む。【選択図】図４
2008164478.tif 000002
【特許請求の範囲】
【請求項１】
探針棒（５１）を土壌（ｓ）に差し込み、該探針棒（５１）を一定時間熱源で加熱したときの温度変化を計測し、この温度勾配から熱抵抗を求めて土壌熱抵抗を測定する際に、
前記土壌（ｓ）にガイド棒（１）を打ち込み、縦方向に挿入穴（５２）を形成し、
前記挿入穴（５２）内に流動体（４）を注入し、
前記流動体（４）中に探針棒（５１）を差し込む、ことを特徴とする土壌熱抵抗測定時の探針棒の差し込み方法。
【請求項２】
探針棒（５１）を土壌（ｓ）に差し込み、該探針棒（５１）を一定時間熱源で加熱したときの温度変化を計測し、この温度勾配から熱抵抗を求めて土壌熱抵抗を測定する際に、
前記土壌（ｓ）に凸条付きガイド棒（１１）をねじ込み、縦方向に挿入穴（５２）を形成し、
前記挿入穴（５２）内に流動体（４）を注入し、
前記流動体（４）中に探針棒（５１）を差し込む、ことを特徴とする土壌熱抵抗測定時の探針棒の差し込み方法。
【請求項３】
前記挿入穴（５２）内に、前記流動体（４）としてベントナイト液を注入する、ことを特徴とする請求項１又は２の土壌熱抵抗測定時の探針棒の差し込み方法。
【請求項４】
土壌熱抵抗を測定する際に探針棒（５１）を土壌（ｓ）に差し込む際に、予め土壌（ｓ）に挿入穴（５２）を開ける凸条付きガイド棒（１１）であって、
前記探針棒（５１）の外径より長い内径を有し、かつ該探針棒（５１）の長手方向の長さより長く形成された筒状のガイド棒本体（２）と、
前記ガイド棒本体（２）の一端に設けた尖った尖端部（３）と、
前記ガイド棒本体（２）の周囲に形成された螺旋状の凸条（５）と、から成る、ことを特徴とする探針棒の打ち込みに使用するガイド棒。
【請求項５】
前記尖端部（３）は、前記ガイド棒本体（２）に着脱自在に接続し得る、ことを特徴とする請求項４の探針棒の打ち込みに使用するガイド棒。
【発明の詳細な説明】
【技術分野】
【０００１】
本発明は、探針棒を土壌中に差し込み、土壌熱抵抗を測定する土壌熱抵抗測定時の探針棒の差し込み方法及びこれに使用するガイド棒に関するものである。
【背景技術】
【０００２】
電力ケーブルの送電容量は、ケーブルが埋設される周囲の土壌の熱抵抗の影響を受ける。そこで、ケーブル設計の基礎資料の一つとして、ケーブル埋設ルートの土壌固有熱抵抗を測定している。
【０００３】
このような土壌熱抵抗を測定する技術としては、例えば特許文献１の特開平１１−２３５０３号公報「土壌熱抵抗測定器」のように、熱源と温度測定手段とを具える探針棒を土中に差し込み、一定時間熱源で加熱したときの温度変化を温度測定手段で計測し、この温度勾配から演算により熱抵抗を求める土壌熱抵抗測定器が提案されている。
【特許文献１】特開平１１−２３５０３号公報
【０００４】
土壌熱抵抗は、土壌の熱放散から算出するが、熱抵抗を測定するには、図５（ａ），（ｂ）に示すように、土壌中に探針棒５１を打ち込む必要がある。例えば、軟弱な地盤であれば、この探針棒５１を直接打ち込むことができる。探針棒５１の打ち込みは、直接探針棒５１の上部をハンマーにより強打している。このように探針棒５１を強打すると、この探針棒５１の内部には熱測定用のリード線が入っており、打ち込み時の振動で断線して探針棒５１を損傷する湯合がある。これを防止するため、図６（ａ）〜（ｄ）に示すように、予めガイド棒を用いて挿入穴５２を開け、この挿入穴５２に探針棒５１を差し込む方法も提案されている。
【０００５】
固い地盤の土壌熱抵抗を測定するときも、例えば鋼製のガイド棒を打ち込み、その後、ガイド棒を引き抜いて挿入穴５２を形成し、ここに探針棒５１を差込んでいる。
【発明の開示】
【発明が解決しようとする課題】
【０００６】
しかし、固い地盤のときは、ガイド棒を垂直に打ち込むことが困難なことがあった。更に、固い地盤に打ち込んだガイド棒は、引き抜くことも困難であるために、挿入穴５２を開ける作業が煩雑であり、長時間を要するという問題を有していた。
【０００７】
逆に、軟弱な地盤のときは、挿入穴５２が崩壊して、探針棒５１の差し込みが困難になることがあった。このような作業において探針棒５１を損傷しやすいという問題を有していた。
【０００８】
更に、探針棒５１と挿入穴５２との間に空隙があると測定誤差が生じやすい。そこで、従来はこの隙間にセメントを充填していたが、このセメントが硬化しやすいため迅速な測定作業を余儀なくされていた。
【０００９】
本発明は、かかる問題点を解決するために創案されたものである。すなわち、本発明の目的は、軟弱な地盤又は固い地盤であっても、探針棒を土壌中に損傷することなく確実に差し込むことができ、かつ挿入穴の土壌崩壊を防止することができ、土壌熱抵抗について高精度に測定することができる土壌熱抵抗測定時の探針棒の差し込み方法及びこれに使用するガイド棒を提供することにある。
【課題を解決するための手段】
【００１０】
本発明の差し込み方法によれば、探針棒（５１）を土壌（ｓ）に差し込み、該探針棒（５１）を一定時間熱源で加熱したときの温度変化を計測し、この温度勾配から熱抵抗を求めて土壌熱抵抗を測定する際に、前記土壌（ｓ）にガイド棒（１，１１）を打ち込み又はねじ込み、縦方向に挿入穴（５２）を形成し、前記挿入穴（５２）内に流動体（４）を注入し、前記流動体（４）中に探針棒（５１）を差し込む、ことを特徴とする土壌熱抵抗測定時の探針棒の差し込み方法が提供される。
例えば前記挿入穴（５２）内に、前記流動体（４）としてベントナイト液を注入する。
【００１１】
本発明の凸条付きガイド棒によれば、土壌熱抵抗を測定する際に探針棒（５１）を土壌（ｓ）に差し込む際に、予め土壌（ｓ）に挿入穴（５２）を開ける凸条付きガイド棒（１１）であって、前記探針棒（５１）の外径より長い内径を有し、かつ該探針棒（５１）の長手方向の長さより長く形成された筒状のガイド棒本体（２）と、前記ガイド棒本体（２）の一端に設けた尖った尖端部（３）と、前記ガイド棒本体（２）の周囲に形成された螺旋状の凸条（５）と、から成る、ことを特徴とする探針棒の打ち込みに使用するガイド棒が提供される。
前記尖端部（３）は、前記ガイド棒本体（２）に着脱自在に接続し得るように構成する、ことが好ましい。
【発明の効果】
【００１２】
本発明の構成では、探針棒（５１）より太いガイド棒（１，１１）を土壌へ垂直に打ち込み又はねじ込み、引き抜いた後に形成された挿入穴（５２）にベントナイト等の流動体（４）を注入して、挿入穴（５２）の崩壊を防止し、この流動体（４）中に空隙を無くすように探針棒（５１）を差し込む。この流動体（４）による土壌（ｓ）の崩壊防止が可能となったことで、探針棒（５１）を直接強打することがないので、探針棒（５１）の損傷を防ぐことができる。
また、挿入穴（５２）と探針棒（５１）との間隙を流動体（４）で埋めて空隙をなくしているので、測定誤差を防止して精度の高い測定が可能になった。
【００１３】
また、ガイド棒本体（２）の周囲に螺旋状の凸条（５）が形成された凸条付きガイド棒（１１）では、このガイド棒（１）を回転させるだけで、土壌（ｓ）内にねじ込むことができるので、固い地盤であっても挿入穴（５２）を容易に開けることができる。しかも、この凸条付きガイド棒（１１）は逆回転すれば、容易に抜くことができるので、挿入穴（５２）を開ける作業を迅速に行うことができる。
【発明を実施するための最良の形態】
【００１４】
本発明の土壌熱抵抗測定時の探針棒の差し込み方法は、ガイド棒を土壌に差し込み又はねじ込み、縦方向に挿入穴を形成し、流動体を注入した挿入穴内に探針棒を差し込む方法である。この探針棒を一定時間熱源で加熱したときの温度変化を計測し、この温度勾配から熱抵抗を求めて土壌熱抵抗を測定する。
【実施例１】
【００１５】
以下、本発明の好ましい実施の形態を図面を参照して説明する。
図１は実施例１の探針棒の差し込み方法を示す作業項目の流れ図である。図２は実施例１の探針棒の差し込み方法を示す説明図であり、（ａ）は差し込みに用いるガイド棒、（ｂ）は土壌中にガイド棒を打ち込む状態、（ｃ）は探針棒を挿入穴から引き抜く状態、（ｄ）は挿入穴に流動体を注入した状態、（ｅ）は探針棒を挿入穴に差し込む状態、（ｆ）は探針棒を差し込み測定するときの状態である。
実施例１の土壌熱抵抗測定時の探針棒の差し込み方法は、ガイド棒１を容易に打ち込むことができ、かつ容易に引き抜くことができる程度の軟らかい地盤に適している。この差し込み方法では、先ず土壌熱抵抗を測定しようとする土壌ｓに、ガイド棒１を打ち込む（図２（ｂ））。このガイド棒１は、図２（ａ）に示すように、探針棒５１の外径より長い外径を有し、かつ探針棒５１の長手方向の長さより長く形成された筒状のガイド棒本体２と、このガイド棒本体２の一端に尖った尖端部３を備えたものである。この尖端部３は、ガイド棒本体２と一体化したもの、又は交換可能に着脱自在に構成したものである。また、尖端部３の形状は、円錐形、角錐形のいずれでもよい。材質も金属製、合成樹脂製のいずれでもよい。土壌ｓの状況に応じて使い分けるようになっている。
【００１６】
次に、このガイド棒１を土壌ｓから引き抜いて縦方向に挿入穴５２を形成する（図２（ｃ））。この実施例１のガイド棒１は、細長い筒状のガイド棒本体２であるために、軟弱な地盤であれば容易に引き抜くことができる。
【００１７】
この挿入穴５２内に流動体４を注入する（図２（ｄ））。この流動体４としては、例えばベントナイト液を用いる。この流動体４は、土壌ｓの熱抵抗を測定するための熱伝導性が高く、かつ流動性があるものであれば、この素材には限定されない。例えばこのベントナイト液以外に、セミシールド工法に使用する可塑剤、薬液注入工法の水ガラス系薬剤等も使用することができる。
【００１８】
この流動体４による土壌ｓの崩壊防止が可能となったことで、探針棒５１を直接強打することがなく、探針棒５１の損傷を防ぐことができる。
【００１９】
最後に、この挿入穴５２内に探針棒５１を差し込み、土壌熱抵抗を測定する（図２（ｅ）、（ｆ））。この探針棒５１を一定時間熱源で加熱したときの温度変化を計測し、この温度勾配から熱抵抗を求める。挿入穴５２と探針棒５１との間隙を流動体４で埋め、空隙をなくしているので、測定誤差を防止して精度の高い測定が可能になった。
【実施例２】
【００２０】
図３は実施例２の探針棒の差し込み方法を示す作業項目の流れ図である。図４は実施例２の探針棒の差し込み方法を示す説明図であり、（ａ）は凸条付きガイド棒、（ｂ）は土壌中にガイド棒をねじ込む状態、（ｃ）は探針棒を挿入穴から引き抜く状態、（ｄ）は挿入穴に流動体を注入した状態、（ｅ）は探針棒を差し込む状態、（ｆ）は探針棒を差し込み測定するときの状態である。
実施例２の探針棒の差し込み方法では、図４（ａ）に示すような、ねじ山を形成した凸条付きガイド棒１１を用いて挿入穴５２を開ける。実施例２の探針棒の差し込み方法は、凸条付きガイド棒１１の打ち込みと、引き抜きが困難な固い地盤に適している。軟弱な地盤にも使用することは勿論可能である。
【００２１】
実施例２で使用する凸条付きガイド棒１１は、探針棒５１の外径より長い内径を有し、かつ探針棒５１の長手方向の長さより長く形成された筒状のガイド棒本体２と、このガイド棒本体２の一端に設けた尖った尖端部３と、このガイド棒本体２の周囲に形成された螺旋状の凸条５とから成る。
【００２２】
実施例２の探針棒の差し込み方法では、先ず土壌ｓに凸条付きガイド棒１１をねじ込む。この凸条付きガイド棒１１は、ドリル（図示していない）等を用いて回転させるだけで、土壌ｓ内にねじ込むことができる（図４（ｂ））。そこで、固い地盤であっても挿入穴５２を容易に開けることができる（図４（ｃ））。
この凸条付きガイド棒１１は逆回転すれば、容易に抜くことができるので、挿入穴５２を開ける作業を迅速に行うことができる。
【００２３】
その後、この挿入穴５２内に流動体）を注入し（図２（ｄ））、次に、この挿入穴５２内に探針棒５１を差し込み、実施例１と同様な手段で土壌熱抵抗を測定する（図２（ｅ）、（ｆ））。
【００２４】
なお、本発明は上述した発明の実施の形態に限定されず、軟弱な地盤又は固い地盤であっても、探針棒５１を土壌ｓ中に損傷することなく確実に差し込むことができ、かつ挿入穴５２の土壌崩壊を防止することができ、土壌熱抵抗を高精度に測定することができできれば、図示したような構成に限定されず、本発明の要旨を逸脱しない範囲で種々変更できることは勿論である。
【産業上の利用可能性】
【００２５】
本発明は、主に土壌熱抵抗測定時の探針棒の差し込む際に利用するが、土壌中の測定機器を差し込む際にも利用することができる。
【図面の簡単な説明】
【００２６】
【図１】実施例１の探針棒の差し込み方法を示す作業項目の流れ図である。
【図２】実施例１の探針棒の差し込み方法を示す説明図であり、（ａ）は差し込みに用いるガイド棒、（ｂ）は土壌中にガイド棒を打ち込む状態、（ｃ）は探針棒を挿入穴から引き抜く状態、（ｄ）は挿入穴に流動体を注入した状態、（ｅ）は探針棒を挿入穴に差し込む状態、（ｆ）は探針棒を差し込み測定するときの状態である。
【図３】実施例２の探針棒の差し込み方法を示す作業項目の流れ図である。
【図４】実施例２の探針棒の差し込み方法を示す説明図であり、（ａ）は凸条付きガイド棒、（ｂ）は土壌中にガイド棒をねじ込む状態、（ｃ）は探針棒を挿入穴から引き抜く状態、（ｄ）は挿入穴に流動体を注入した状態、（ｅ）は探針棒を差し込む状態、（ｆ）は探針棒を差し込み測定するときの状態である。
【図５】従来の土壌に探針棒を打ち込み測定する方法を示すものであり、（ａ）は作業項目の流れ図、（ｂ）は探針棒を土壌に直接打ち込んだ状態の説明図である。
【図６】従来の土壌にガイド棒を用いて探針棒を差し込み測定する方法を示すものであり、（ａ）は作業項目の流れ図、（ｂ）はガイド棒を土壌に打ち込む状態の説明図、（ｃ）は挿入穴の状態の説明図、（ｄ）は探針棒を差し込んだ状態の説明図である。
【符号の説明】
【００２７】
１  ガイド棒
２  ガイド棒本体
３  尖端部
４  流動体
５  凸条
１１  凸条付きガイド棒
５１  探針棒
５２  挿入穴
【図１】
2008164478.tif 000003
【図２】
2008164478.tif 000004
【図３】
2008164478.tif 000005
【図４】
2008164478.tif 000006
【図５】
2008164478.tif 000007
【図６】
2008164478.tif 000008